(57)【要約】      （修正有）【課題】  薬剤を用いず、確実に駆除できる方法を提供するものであり、松くい虫の原因「マツノザイセンチュウ」の運び屋である、「マツノマダラカミキリ」などのマツの木を食べて育つ昆虫類を駆除することで、松くい虫を駆除する方法を提供するものである。【解決手段】  網の目をマツの木に穴をあけ，マツの木を食べて育つ昆虫類の首回りよりやや小いさく、そして網全体が伸縮し得るように編成して成る網を対象樹木にカバーするようにして行なう松くい虫の駆除法であり、飛来したカミキリムシがこの網の目をくぐり抜けようとした時に、網の目にカミキリムシの首の部分や体の部分が挟まったり、引っかかったりして動けなくし、そのまま放置することで死なせるようにするものであり、また被害木４に忌避剤付着網５を被せて、カミキリムシを閉じ込めて餓死されることで駆除する。【選択図】  図３
2007209329.tif 000002
【特許請求の範囲】
【請求項１】
網の目をマツの木に穴をあけ、マツの木を食べて育つ昆虫類の首回りよりやや小いさく、そして網全体が伸縮し得るように編成して成る網を対象樹木にカバーするようにして行なう松くい虫の駆除法。
【請求項２】
前記のマツの木に穴をあけ、マツの木を食べて育つ昆虫がマツノマダラカミキリであることを特徴とする請求項１に記載の松くい虫の駆除法。
【請求項３】
前記の網は、前記の昆虫又は他の鳥獣類が嫌う忌避物が付着処理された網であることを特徴とする請求項１又は請求項２に記載の松くい虫の駆除法。
【発明の詳細な説明】
【技術分野】
【０００１】
本発明は薬剤を使用せずに行なう、松くい虫の駆除法に関するものである。
【背景技術】
【０００２】
沖縄県では、貴重な針葉樹として、「リュウキュウマツ」が県産家具材やフローリング材、パルプ材として利用されている。
【０００３】
街路樹や風致木としても古くから植栽され、また、琉歌にもよく歌われている、沖縄県の貴重な森林資源の一つであり、沖縄県の県木でもある。
【０００４】
このリュウキュウマツが松くい虫の被害のため、危機に瀕しており、緊急な松くい虫対策が行なわれている。
【０００５】
この松くい虫とは、「マツノザイセンチュウ」という体長０．６〜１．０ｍｍの線虫が、マツの樹体内に入り、生理・生態に異常を引き起こし、松を枯らすものである。
【０００６】
しかし、マツノザイセンチュウは、自力で他のマツへ移動することはできない。
【０００７】
このため、マツの中にいる、マツノマダラカミキリという昆虫が蛹から成虫になるとき、カミキリの体内に入りこみ、カミキリがマツから飛び立つのを利用して他のマツへ移動する。
【０００８】
成虫になったカミキリは、健全なマツの枝を食べるが、その時、マツノザイセンチュウは枝の傷痕とから侵入し、マツ枯れを引き起こしていく。
【特許文献１】特開２００５−１０３８７２号公報
【発明の開示】
【発明が解決しようとする課題】
【０００９】
松くい虫の対策として、従来は、
１）樹幹注入
健康なマツに前もって薬剤を注入し、侵入してきた線虫を殺したりすることで、増殖を防ぎます。
【００１０】
２）地上散布
地上から動力噴霧器などを用いて薬剤を健康なマツに散布し、カミキリを駆除します。
【００１１】
３）特別防除
空からヘリコプターなどを利用して薬剤を健康なマツに散布し、カミキリを駆除します。
【００１２】
４）樹種転換
守るべきマツ林の周辺を、マツ以外の種類の木、または線虫に強い性質を持つマツ（抵抗性マツ）の森林に転換します。
【００１３】
５）伐倒駆除
被害木を切り倒し、薬剤をかけたり、薫蒸して、カミキリの幼虫を駆除します。
【００１４】
６）特別伐倒駆除
被害木を切り倒して、チップにしたり、焼却して、木の中にいるカミキリの幼虫を駆除します。
【００１５】
以上の防除、駆除が行なわれているが、十分な効果を上げていないのが現状である。
【００１６】
また、薬害による環境衛生上の問題が提起されており、さらに薬剤散布では効果が１週間程度しかなく、通行人や車の通らない深夜しか作業ができない等の多くの問題がある。
【００１７】
本発明は、上記のような問題点に鑑みてなされたものであり、薬剤を用いず、確実に駆除できる方法を提供するものであり、松くい虫の原因「マツノザイセンチュウ」の運び屋である、「マツノマダラカミキリ」などのマツの木を食べて育つ昆虫類を駆除することで、松くい虫を駆除する方法を提供するものである。
【課題を解決するための手段】
【００１８】
上記の問題を解決するために、本発明の請求項１では、網の目をマツの木に穴をあけ、マツの木を食べて育つ昆虫類の首回りよりやや小いさく、そして網全体が伸縮し得るように編成して成る網を対象樹木にカバーするようにして行なう松くい虫の駆除法である。
【００１９】
また、本発明の請求項２では、前記のマツの木に穴をあけ、マツの木を食べて育つ昆虫がマツノマダラカミキリであることを特徴とする松くい虫の駆除法である。
【００２０】
松の木に上記のような網を被せ、あるいは一部の幹に網を巻き付けておき、飛来したカミキリ虫がこの網の目をくぐり抜けようとした時に、網の目にカミキリムシの首の部分や体の部分が挟まったり、引っかかったりして動けなくし、そのまま放置することで死なせるようにするものである。
【００２１】
また、本発明の請求項３では、前記の網において、前記の昆虫又は他の鳥獣類が嫌う忌避物が付着処理された網であることを特徴とする松くい虫の駆除法である。
【００２２】
松食い虫の被害木を網でカバーすることで、カミキリ虫が網から脱出できないようにし、網の中で餓死させることで、松くい虫の被害の拡大を防止することができる。しかしながら、上記の昆虫は、松の枝を噛み切ることのできる強靭な顎を持ち、また、他の鳥獣類がその網を噛み切る場合などによる破損によって、カミキリ虫が逃げ出してしまうことが懸念されるが、前記の網に対して、それらの動物が嫌う忌避物を付着処理することで、網の破損を防止し、カミキリ虫の脱出を防止することができる。
【００２３】
忌避物はそれらの動物が嫌うものであればいずれでも良く、例えば、木酢液、唐辛子、ユーカリ、月桃などが使用でき、これら忌避物をそのまま、あるいは、抽出エキスを付着させるものでも良い。付着処理は、噴霧、塗布、接着、溶着などでも良く、網の繊維に予め溶け込ませたものなどでも良い。
【発明の効果】
【００２４】
本発明によれば、カミキリムシが挟まったり、引っかかったりするため、確実にかつ簡単に駆除することができる。
【００２５】
また、松の木に単に網をカバーするだけで良いので作業が簡単であり、また薬剤散布などとは異なり、効果が持続でき、そして環境汚染などの心配もない。
【００２６】
また、松くい虫の被害木に忌避剤が付着処理された網をカバーすることで、カミキリ虫を閉じ込めて、餓死させて死滅させ、被害の拡大を確実に防止できる。
【００２７】
餓死させるので、薬剤とは異なり、安全で環境への影響も無く、網の中のカミキリ虫を完全に死滅させることができる。
【００２８】
また、従来のカミキリ虫の幼虫の駆除法では、特に環境問題となる薫蒸処理や焼却処理の必要があったが、本発明では、幼虫の状態で駆除するのではなく、成長して成虫となるまで網で閉じ込めておき、成虫にしてから駆除するものである。
カミキリ虫の幼虫の餌は松の木の幹であり、カミキリ虫の成虫の餌は、若枝の皮である。従って、松食い虫により枯れた木は、幼虫の餌とはなるが、成虫の餌とはならないので、閉じ込められると餓死してしまうこととなる。
【発明を実施するための最良の形態】
【００２９】
以下に本発明の実施の形態について説明する。
【００３０】
〔実施例１〕
糸を釣り用のテグスと同一材を使用し、編みにて網を製作し、松の木に巻き付けた。
【００３１】
該網の網目は、５．０ｍｍとした。これは、マツノマダラカミキリの成虫を３０匹捕獲し、その体長と、首周りを測定した結果から、首周りの最小値とした。測定結果、体長では、最大２６．７ｍｍ、最小１８．０ｍｍであり、首周りでは、最大８．６ｍｍ、最小５．０ｍｍであった。
【００３２】
その捕獲試験の結果、カミキリムシの駆除率は８０％を超えた。
【００３３】
そして網の耐用年数も４年以上であり、その間に成長する松の葉に対しては、綱の編み方からくる伸縮性により、ある程度まで対処できる。
【００３４】
尚、網の材質、目の大きさ、あるいは色彩等に変化をもたせることにより、各種の虫に対応させることが可能であり、また透明のものを用いれば景観を損わずに実施できる。
【００３５】
また、糸は伸縮性の糸を使用しても良く、糸にカミキリムシが引っかかりやすいように、棘や突起などを設けても良い。
【００３６】
また、カミキリムシが好む臭い（エタノール臭：枯れたマツから出る匂い）をつけても良い。
【００３７】
〔実施例２〕
忌避剤を塗布した網を用いたマツノマダラカミキリの駆除実施例について、図面を用いて説明する。
【００３８】
本実施例は、箱型ネットハウス内に、被害木である、松食い虫により枯れた琉球松を積み上げ、この被害木に忌避剤付着網を被せたものである。
【００３９】
図１は、箱型ネットハウス１を示す図である。単管パイプ２を組み合わた骨組みに、細かい網目（３ｍｍ）の外部ネット３を貼り付けた構造である。
【００４０】
図２は、箱型ネットハウス内に積み上げた琉球松の被害木４を示す。
【００４１】
図３は、上記の琉球松の被害木４に忌避剤付着網５を被せた状態を示す図である。
【００４２】
図４は、網を被せてから１週間後に忌避剤付着網５を除去した状態を示す図であり、マツノマダラカミキリの成虫の死骸６を示す図である。
【００４３】
発明者らの実験によると、マツノマダラカミキリの成虫は、餌の内状態では、３日〜５日程度で餓死することが確認された。
【００４４】
また、発明者らの羽化試験により、マツノマダラカミキリは、４月から７月が羽化時期であり、５月が最も多いことが解った。
【００４５】
従って、忌避剤付着網で閉じ込めておく必要があるのは、７月末までで良く。その後は被害木を放置しても問題は無く、薫蒸処理や焼却処理の必要はなく、駆除コスト及び作業量を大幅に削減できた。
【００４６】
このように、本発明では、松食い虫の病原虫である、マツノザイセンチュウの運び屋となっている、マツノマダラカミキリの確実な駆除を実現するものであり、松食虫による被害木中のマツノマダラカミキリの確実な駆除を実現すると共に、安全で環境問題の恐れがなく、かつ、簡単な作業で実現できるものである。
【図面の簡単な説明】
【００４７】
【図１】箱型ネットハウス１を示す図である。
【図２】箱型ネットハウス１内に積み上げた琉球松の被害木４を示す図である。
【図３】琉球松の被害木４に本発明による忌避剤付着網５を被せた状態を示す図である。
【図４】マツノマダラカミキリの成虫の死骸６を示す図である。
【符号の説明】
【００４８】
１  箱型ネットハウス
２  単管パイプ
３  外部ネット
４  琉球松の被害木
５  忌避剤付着網
６  マツノマダラカミキリの成虫の死骸
【図１】
2007209329.tif 000003
【図２】
2007209329.tif 000004
【図３】
2007209329.tif 000005
【図４】
2007209329.tif 000006